(57)【要約】【課題】回転可能な筐体部に表示機能を備える電子機器に関し、機能呼出しや確定処理に必要な操作の容易化を図ることにある。【解決手段】回転可能な筐体部に表示機能を備える電子機器（携帯端末装置２）において、回転により第１の画面（例えば、縦画面１２４）又は第２の画面（例えば、横画面１７２）を表示する表示部（１８）と、前記表示部の回転により前記第１の画面から前記第２の画面への切替えにより機能を立ち上げ、切り替えられた前記第２画面から選択された項目を、前記表示部の回転により前記第２画面から前記第１画面へ戻すことにより確定させる制御部（ＣＰＵ９０）とを備える構成である。【選択図】図５
2008079095.tif 000002
【特許請求の範囲】
【請求項１】
回転可能な筐体部に表示機能を備える電子機器であって、
回転により第１の画面又は第２の画面を表示する表示部と、
前記表示部の回転によって前記第１の画面から前記第２の画面への切替えにより機能を立ち上げ、切り替えられた前記第２画面から選択された項目を、前記表示部の回転によって前記第２画面から前記第１画面へ戻すことにより確定させる制御部と、
を備えることを特徴とする電子機器。
【請求項２】
請求項１の電子機器において、
前記制御部は、前記表示部の前記第１の画面及び／又は前記第２の画面に文字列を表示し、前記表示部の回転により、前記第２の画面に選択可能な絵文字又は装飾画を表示し、前記表示部を回転して前記第１の画面に戻すことにより、前記第２の画面から選択された前記絵文字及び／又は前記装飾画を確定させることを特徴とする電子機器。
【請求項３】
請求項１又は請求項２の電子機器において、
前記第１の画面が縦長の縦画面であれば、前記第２の画面が横長の横画面であり、前記第２の画面が前記縦画面であれば、前記第１の画面が前記横画面であることを特徴とする電子機器。
【請求項４】
請求項１の電子機器において、
前記表示部は可動側筐体部に設置され、この可動側筐体部は、固定側筐体部にヒンジ部で開閉可能に取り付けられた可動アーム部に回転可能に支持されていることを特徴とする電子機器。
【請求項５】
請求項１又は請求項２の電子機器において、
前記回転は、右回転又は左回転又は双方であることを特徴とする電子機器。
【請求項６】
請求項１の電子機器において、
前記表示部の回転の有無及びその回転方向を検出する回転センサを備えることを特徴とする電子機器。
【請求項７】
回転可能な筐体部に表示機能を備える電子機器の制御方法であって、
表示部に第１の画面又は第２の画面を表示するステップと、
前記表示部の回転によって前記第１の画面から前記第２の画面への切替えにより機能を立ち上げるステップと、
切り替えられた前記第２の画面から選択された項目を、前記表示部の回転によって前記第２の画面から前記第１の画面へ戻すことにより確定させるステップと、
を含むことを特徴とする電子機器の制御方法。
【請求項８】
コンピュータによって実行される、回転可能な筐体部に表示機能を備える電子機器の制御プログラムであって、
表示部に第１の画面又は第２の画面を表示するステップと、
前記表示部の回転によって前記第１の画面から前記第２の画面への切替えにより機能を立ち上げるステップと、
切り替えられた前記第２の画面から選択された項目を、前記表示部の回転によって前記第２の画面から前記第１の画面へ戻すことにより確定させるステップと、
を含み、コンピュータに実行させることを特徴とする電子機器の制御プログラム。
【発明の詳細な説明】
【技術分野】
【０００１】
本発明は、回転及び／又は開閉可能な筐体部側に表示機能を備える携帯端末装置等の電子機器に関し、特に、表示部の回転により画面切替え、機能切替え等が行える電子機器、その制御方法及びその制御プログラムに関する。
【背景技術】
【０００２】
従来、筐体部に折畳み機能や回転機能を備え、表示部と入力操作部とを別の筐体部に備える携帯端末装置が知られている。このような携帯端末装置に関し、特許文献１には、表示部を有する第１筐体と、この第１筐体に重ねられて閉状態となる第２筐体とを回転可能にし、第２筐体に対し、第１筐体を時計回りに回転させた場合に表示部に第１画面、第２筐体に対し、第１筐体を反時計回りに回転させた場合に表示部に第２画面を表示させることが開示されている。
【特許文献１】特開２００４−２２８７６７号公報（要約、図７等）
【発明の開示】
【発明が解決しようとする課題】
【０００３】
ところで、表示部を回転させて異なる画面に切り替える構成とした場合には、複数の画面を用いて多数の内容を表示することができる。特許文献１では、右回転で第１の画面、左回転で第２の画面を表示させ、第１の画面の表示内容と第２の画面の表示内容を異ならせることにより、複数の画面で表示内容を豊富にしているものの、各画面にメニュー画面やアドレス帳画面を表示した上、筐体の操作によりアプリケーションが割り付けられているにすぎない。例えば、メール作成ではメール作成画面を立ち上げ、その単一の画面上でメール作成処理を行い、そのメール作成画面から筐体の操作により他の機能に移行させることができるにすぎない。アプリケーションと画面操作に複雑な処理操作が必要である。ユーザは、このような機能を活用するには、その機能と操作の関係を熟知し、その操作に習熟することが必要である。
【０００４】
斯かる課題について、特許文献１にはその開示や示唆はなく、それを解決する構成等についての開示や示唆はない。
【０００５】
そこで、本発明の目的は、回転可能な筐体部に表示機能を備える電子機器に関し、機能呼出しや確定処理に必要な操作の容易化を図ることにある。
【０００６】
また、本発明の他の目的は、回転可能な筐体部に表示機能を備える電子機器に関し、機能性及び操作性を向上させることにある。
【課題を解決するための手段】
【０００７】
上記目的を達成するため、本発明は、回転可能な筐体部に表示機能を備える携帯端末装置等の電子機器に関し、回転により第１の画面又は第２の画面を表示する表示部と、この表示部を制御する制御部とを備える。そこで、制御部は、前記表示部の回転により前記第１の画面から前記第２の画面への切替えにより機能を立ち上げ、切り替えられた前記第２画面から選択された項目を、前記表示部の回転により前記第２画面から前記第１画面へ戻すことにより確定させる。このため、画面切替えと、画面上で選択された項目の確定が画面の回転操作によって行うことができ、操作の容易化が図られる。また、機能呼出しが表示部の回転操作により行われるので、機能性及び操作性の向上が図られる。よって、上記目的が達成される。
【０００８】
そこで、上記目的を達成するため、本発明の第１の側面は、回転可能な筐体部に表示機能を備える電子機器であって、回転により第１の画面又は第２の画面を表示する表示部と、前記表示部の回転によって前記第１の画面から前記第２の画面への切替えにより機能を立ち上げ、切り替えられた前記第２画面から選択された項目を、前記表示部の回転によって前記第２画面から前記第１画面へ戻すことにより確定させる制御部とを備える構成である。斯かる構成によって、上記目的が達成される。
【０００９】
上記目的を達成するためには、上記電子機器において、好ましくは、前記制御部は、前記制御部は、前記表示部の前記第１の画面及び／又は前記第２の画面に文字列を表示し、前記表示部の回転により、前記第２の画面に選択可能な絵文字又は装飾画を表示し、前記表示部を回転して前記第１の画面に戻すことにより、前記第２の画面から選択された前記絵文字及び／又は前記装飾画を確定させる構成としてもよい。斯かる構成によっても、上記目的が達成される。
【００１０】
上記目的を達成するためには、上記電子機器において、好ましくは、前記第１の画面が縦長の縦画面であれば、前記第２の画面が横長の横画面であり、前記第２の画面が前記縦画面であれば、前記第１の画面が前記横画面である構成としてもよい。斯かる構成によっても、上記目的が達成される。
【００１１】
上記目的を達成するためには、上記電子機器において、好ましくは、前記表示部は可動筐体部に設置され、この可動側筐体部は、固定側筐体部にヒンジ部で開閉可能に取り付けられた可動アーム部に回転可能に支持されている構成としてもよい。斯かる構成によっても、上記目的が達成される。
【００１２】
上記目的を達成するためには、上記電子機器において、好ましくは、前記回転は、右回転又は左回転又は双方である構成としてもよい。斯かる構成によっても、上記目的が達成される。
【００１３】
上記目的を達成するためには、上記電子機器において、好ましくは、前記表示部の回転の有無及びその回転方向を検出する回転センサを備える構成としてもよい。斯かる構成によっても、上記目的が達成される。
【００１４】
上記目的を達成するため、本発明の第２の側面は、回転可能な筐体部に表示機能を備える電子機器の制御方法であって、表示部に第１の画面又は第２の画面を表示するステップと、前記表示部の回転によって前記第１の画面から前記第２の画面への切替えにより機能を立ち上げるステップと、切り替えられた前記第２の画面から選択された項目を、前記表示部の回転によって前記第２の画面から前記第１の画面へ戻すことにより確定させるステップとを含む構成である。斯かる構成によって、上記目的が達成される。
【００１５】
上記目的を達成するため、本発明の第３の側面は、コンピュータによって実行される、回転可能な筐体部に表示機能を備える電子機器の制御プログラムであって、表示部に第１の画面又は第２の画面を表示するステップと、前記表示部の回転によって前記第１の画面から前記第２の画面への切替えにより機能を立ち上げるステップと、切り替えられた前記第２の画面から選択された項目を、前記表示部の回転によって前記第２の画面から前記第１の画面へ戻すことにより確定させるステップとを含み、コンピュータに実行させる構成である。斯かる構成によって、上記目的が達成される。
【発明の効果】
【００１６】
本発明によれば、次のような効果が得られる。
【００１７】
(1) 第１の画面から第２の画面に移行させた際に、機能を起動させ、第２の画面で選択した項目を第１の画面に戻すことにより確定させるので、画面の回転操作により機能呼出しや選択項目の確定が可能であり、操作の容易化が図られる。
【００１８】
(2) 第１の画面から第２の画面に移行させた際に、機能を起動させ、第２の画面で選択した項目を第１の画面に戻すことにより確定させるので、電子機器の機能性及び操作性を向上させることができる。
【００１９】
そして、本発明の他の目的、特徴及び利点は、添付図面及び各実施の形態を参照することにより、一層明確になるであろう。
【発明を実施するための最良の形態】
【００２０】
〔第１の実施の形態〕
【００２１】
本発明の第１の実施の形態について、図１ないし図４を参照して説明する。図１は、携帯端末装置を示す斜視図、図２は、携帯端末装置の閉状態を示す側面図、図３は、携帯端末装置の開状態を示す正面図、図４は、開状態にある携帯端末装置の可動側筐体部の右回転（左回転）を示す図である。
【００２２】
この携帯端末装置２は、開閉部や回転部等の複数の可動部を備え、回転及び／又は開閉可能な電子機器の一例であって、図１及び図２に示すように、操作側筐体部として固定側筐体部４と、表示側筐体部として可動側筐体部６とを備えており、固定側筐体部４には可動アーム部８が開閉部であるヒンジ部１０によって取り付けられ、また、可動アーム部８には回転支持部としての回転モジュール１２が取り付けられ、この回転モジュール１２に可動側筐体部６が固定されている。この場合、ヒンジ部１０を中心とした回転により、可動側筐体部６を開閉でき、回転モジュール１２を中心とした回転により、可動側筐体部６を中心位置（回転の基準位置）から左右の所定角度に回転させることができる。
【００２３】
可動側筐体部６の回転中心Ｏａは、図３に示すように、ヒンジ部１０の近傍の位置に設定されており、可動側筐体部６には、半円形状の縁部として周縁部１４が形成されている。固定側筐体部４には、符号キーやカーソルキー等の複数のキーを備える入力操作部１６等が設置され、また、可動側筐体部６にはＬＣＤ（Liquid Crystal Display）素子等で構成される表示ユニットとして表示部１８が設置されている。表示部１８は、縦と横の長さを異ならせた長方形状であり、可動側筐体部６の回転角度θ（０度ないし左右各９０度）に応じて第１の画面として例えば、縦長の縦画面、第２の画面として例えば、横長の横画面を表示する。
【００２４】
このような携帯端末装置２によれば、ヒンジ部１０を備えたことにより、可動側筐体部６を可動アーム部８とともに開閉させることができる。即ち、可動側筐体部６は、図１に示すように、可動アーム部８とともに閉じ、又は、図３に示すように、開状態で維持することができる。また、可動側筐体部６は、図４に示すように、回転モジュール１２によって中心位置から右方向又は左方向に所定角度例えば、９０度の回転させ、固定側筐体部４に対してＬ字形に変形させることができる。図４に示す開状態（表示部１８を上面にした場合）において、ａは可動側筐体部６の中心線に一致する中心位置（左右回転開始点）、ｂは可動側筐体部６の右回転位置（右側回転終点）、ｃは可動側筐体部６の左回転位置（左側回転終点）である。
【００２５】
そこで、可動側筐体部６の開状態において、可動側筐体部６が中心位置ａにあれば、図３に示すように、表示部１８には縦画面、可動側筐体部６が右回転位置ｂにあれば、図４に実線で示すように、表示部１８には横画面、また、可動側筐体部６が左回転位置ｃにあれば、図４に破線で示すように、表示部１８には横画面を表示することができる。矢印Ａは、中心位置ａから右回転位置ｂへの回転、右回転位置ｂから中心位置ａへの回転（戻し回転）を表し、これが縦画面から右側横画面への画面切替え操作に相当する。同様に、矢印Ｂは、中心位置ａから左回転位置ｃへの回転、左回転位置ｃから中心位置ａへの回転（戻し回転）を表し、これが縦画面から左側横画面への画面切替え操作に相当する。
【００２６】
次に、携帯端末装置２の制御方法について、図１ないし図４及び図５を参照して説明する。図５は、携帯端末装置２の制御方法の一例である処理手順を示すフローチャートである。
【００２７】
この制御方法では、可動側筐体部６が開状態か閉状態かを検出し（ステップＳ１）、閉状態であれば、固定側筐体部４に可動側筐体部６が重ねられ、表示部１８が隠蔽状態にあるので、表示部１８は非表示とする（ステップＳ２）。
【００２８】
可動側筐体部６が開状態（図３）であって、可動側筐体部６の回転角度が０度であれば、可動側筐体部６は中心位置ａにあるので、表示部１８は縦画面状態となり（ステップＳ３）、第１の画面として縦画面が表示される。
【００２９】
可動側筐体部６が開状態（図３）であって、可動側筐体部６が右側に回転され、又は左側に回転されると、その回転検出（ステップＳ４）に基づき、その回転、回転方向に割り当てられた機能が呼出され、その機能が起動され（ステップＳ５）、表示部１８は横画面状態に移行し（ステップＳ６）、第２の画面として横画面が表示される。回転方向に異なる機能を割り当ててもよいし、同一の機能を割り当ててもよい。
【００３０】
メール作成モードでは、それに付随する機能が起動し、横画面には、作成メールに挿入すべき項目として例えば、絵文字や装飾画（以下、「デコメールピクチャ」と称する）等が表示され、斯かる項目の選択が可能である（ステップＳ７）。この横画面から選択された項目は、可動側筐体部６を右回転位置ｂ又は左回転位置ｃから中心位置ａに回転させて縦画面状態に戻す（ステップＳ８）ことにより確定し、作成メール中に挿入される。ここで、「絵文字」とは、記号、図形、絵等であって、文字や用語を補完し、感情や意思の伝達等に用いられるものである。また、「装飾画」は、アニメキャラクタ、写真、デザイン画、絵画等であって、文章の情景や感情等の表現に用いられるものである。この場合、右側の横画面と左側の横画面とは、異なる項目を表示してもよいし、同一の項目を表示してもよい。異なる項目を表示すれば、表示内容の豊富化を図ることができる。
【００３１】
そこで、この制御方法には、固定側筐体部４と可動側筐体部６との開閉操作、可動側筐体部６の回転操作等に対応し、縦画面又は横画面の表示、その切替え、機能の呼出し、選択された項目の確定等の処理手順を含んでいる。
【００３２】
ａ) 可動側筐体部６の開閉又は回転の検出
【００３３】
固定側筐体部４に対し、可動側筐体部６は可動アーム部８及びヒンジ部１０によって開閉される。可動側筐体部６は、開状態又は閉状態の何れの場合も、可動アーム部８上で回転させることができる。そこで、可動側筐体部６が開状態か閉状態か、その回転角度に応じて表示形態を変更するため、開状態か閉状態かをセンサ部９６の開閉センサ１１２（図１３）によって検出し、可動側筐体部６の回転角度θは回転センサ４２、４４（図６、図１３）によって検出される。
【００３４】
ｂ）画面表示及びその切替え
【００３５】
可動側筐体部６が開状態にあって、中心位置ａにある場合、表示部１８には縦画面が表示される。また、可動側筐体部６が右回転位置ｂに回転すると、表示部１８には横画面が表示され、また、可動側筐体部６が左回転位置ｃに回転すると、表示部１８は横画面の表示態様に切り替えられる。この横画面の表示位置から可動筐体部６を中心位置ａに復帰させると、表示部１８は縦画面の表示に切り替えられる。これらの開閉検出や回転検出に基づく、表示部１８の画面の表示態様の切替えは、後述の制御プログラムによって実行される。
【００３６】
ｃ）機能呼出し制御
【００３７】
可動側筐体部６を中心位置ａから右回転位置ｂ又は左回転位置ｃに回転することにより、その回転方向又は展開される横画面に割り付けられた機能を起動させる。この機能は、アプリケーションソフトやデータベース内の選択項目等の表示であって、例えば、メール作成モードでは、右側の横画面にデコメールピクチャ、左側の横画面に絵文字が選択可能に表示される。このような機能の呼出しやその内容の制御は、後述の制御プログラムによって実行される。
【００３８】
ｄ）項目選択及びその確定制御
【００３９】
横画面上に表示された項目は、その画面上で選択することができる。選択された項目を確定するには、可動側筐体部６を横画面から縦画面に戻すことにより確定させることができる。斯かる制御は、後述の制御プログラムによって実行される。また、確定した項目は、作成上の文書中の所望の位置に貼りつけられる。
【００４０】
次に、この携帯端末装置２の構成例について、図６ないし図１２を参照して説明する。図６は、携帯端末装置２を示す分解斜視図、図７は、携帯端末装置の回転ロック機構の位置を示す図、図８は、可動側リアケース部の上面側を示す図、図９は、可動アーム部の裏面側を示す図、図１０、図１１及び図１２は、ストッパ構造及びその動作を示す図である。図６ないし図１２において、図１ないし図４と同一部分には、同一符号を付してある。
【００４１】
図６に示すように、固定側筐体部４は固定側フロントケース部２０及び固定側リアケース部２２を備え、この固定側フロントケース部２０の長手方向の縁部側にはヒンジ部１０の軸受部２４が形成されている。この軸受部２４には軸受孔２６が設けられている。固定側リアケース部２２には固定側基板等が搭載されている。
【００４２】
可動側筐体部６は可動側フロントケース部２８及び可動側リアケース部３０を備え、可動側リアケース部３０の円形部３２側には回転モジュール１２が取り付けられている。この回転モジュール１２の回転中心部には透孔３６が形成され、この透孔３６は図示しないケーブルの通過に用いられる。
【００４３】
可動側フロントケース部２８には可動側基板４０が設置され、この可動側基板４０には、可動側筐体部６の回転方向、回転角度θを検出する回転センサ４２、４４が設置されている。
【００４４】
可動アーム部８は、アーム部４６とアームカバー部４８とを備える。アーム部４６の円形部５０側には、既述の回転モジュール１２とともに可動側筐体部６の可動側リアケース部３０が固定手段として例えば、複数のネジ５２によって固定される。また、アーム部４６には、ヒンジ部１０の軸受部５４、５６が形成され、各軸受部５４、５６の間隔５８内に固定側筐体部４の軸受部２４が挿入される。軸受部５４には固定側筐体部４の軸受部２４に到達するヒンジ軸としてのヒンジモジュール６０が挿入されて固定され、また、軸受部５６にもヒンジ軸としてのヒンジモジュール６２が挿入されて固定される。ヒンジモジュール６２は、図示しないケーブルを挿通させるため、ケーブルガイドとして構成してもよい。
【００４５】
また、この可動アーム部８のアーム部４６には、可動側筐体部６の可動側フロントケース部２８側に設置された回転センサ４２、４４と同一軌道上に複数のマグネットとして３つのマグネットＭ２、Ｍ３、Ｍ４が設置されている。回転する可動側筐体部６の中心位置ａ、右回転位置ｂ又は左回転位置ｃが、これら回転センサ４２、４４とマグネットＭ２、Ｍ３、Ｍ４によって検出される。
【００４６】
アームカバー部４８は、アーム部４６の上面を覆う蓋部６４と、各軸受部５４、５６を覆う被覆部６６、６８とを備えている。蓋部６４は、アーム部４６に接合されてアーム部４６の上面を防護し、被覆部６６、６８は、各軸受部５４、５６の周壁部を覆い、各軸受部５４、５６を補強し、防護する。
【００４７】
ヒンジ部１０は、既述の通り、固定側筐体部４の軸受部２４と、可動アーム部８の軸受部５４、５６と、ヒンジモジュール６０、６２とを以て構成され、固定側筐体部４に可動アーム部８を開閉可能（この実施の形態では、１８０度に開閉可能）に支持している。また、回転モジュール１２は、可動アーム部８に可動側筐体部６を回転可能に支持している。
【００４８】
そこで、可動側筐体部６を回転モジュール１２を介して回転可能に支持する可動アーム部８、可動アーム部８上で回転モジュール１２により回転可能な可動側筐体部６には、可動側筐体部６の左右許容回転角９０度の中心位置即ち、０度位置を決定する回転ロック機構７０（図７等）と、左右許容回転角９０度の回転範囲を決定するストッパ機構７２（図１０等）とが設置されている。
【００４９】
この実施の形態では、図６に示すように、回転ロック機構７０のピン係合部７４が可動側リアケース部３０に一体成形されている。ピン係合部７４は、図８に示すように、回転モジュール１２より外側に設置され、可動側リアケース部３０の上面に突出している。ピン係合部７４と係合するロックピン７６は、可動アーム部８のアーム部４６に取り付けられ、この実施の形態の場合、アーム部４６の内側に設置されている。
【００５０】
回転ロック機構７０は、図９に示すように、可動アーム部８に回転モジュール１２を介して回転可能に支持されている可動側筐体部６を固定側筐体部４に一致する位置即ち、中心位置ａに固定し、保持させるための機構である。ここで、可動側筐体部６を可動アーム部８に固定、保持させることは、ユーザにその位置が基準位置であることを認識させ、かつ、ユーザが回転する意思を以て左又は右方向に力を加えない限り、移動しない程度の保持状態であって、移動を許可しないといったロック状態を想定したものではない。通常の回転操作のための負荷では回転しない程度の保持を行う。
【００５１】
この実施の形態では、可動側筐体部６を固定側筐体部４に一致する位置即ち、中心位置ａに固定し、保持させるため、可動アーム部８に固定された回転モジュール１２の回転中心Ｏａを貫く仮想中心軸７８（図７）上に回転ロック機構７０が設置されている。
【００５２】
また、ストッパ機構７２は、図１０に示すように、回転ロック機構７０を中心に、可動側筐体部６の左右回転の最大回転角度を設定し、その最大回転角度で可動側筐体部６を停止させる構造であって、この実施の形態では、ピン係合部７４をストッパ部に共用しており、ピン係合部７４には、ストッパ面８０、８２が形成されている。
【００５３】
このピン係合部７４に対し、ピン係合部７４が挿入される円弧状の溝部８４が形成され、溝部８４の終端部でピン係合部７４のストッパ面８０、８２を接触させるストッパ８６、８８が形成されている。具体的には、ストッパ面８０がストッパ８６、ストッパ面８２がストッパ８８に当たり、可動側筐体部６の回転が阻止される。この阻止される位置が中心位置ａから左右９０度の位置ｂ、ｃである。
【００５４】
斯かる構成によれば、図１０に示す位置にある可動側筐体部６を左側に回転させると、図１１に示すように、ピン係合部７４のストッパ面８０が溝部８４の終端部であるストッパ８６に当たり、可動側筐体部６が左側９０度の位置で停止する。また、図１０に示す位置にある可動側筐体部６を右側に回転させると、図１２に示すように、ピン係合部６４のストッパ面８２が溝部８４の終端部であるストッパ８８に当たり、可動側筐体部６が右側９０度の角度で停止する。
【００５５】
次に、この携帯端末装置２の回路構成について、図１３を参照して説明する。図１３は、携帯端末装置２の電気回路部を示すブロック図である。図１３において、図１ないし図１２と同一部分には同一符号を付してある。
【００５６】
携帯端末装置２には、電話機能やメール送受信機能等に加え、既述の固定側筐体部４と可動側筐体部６との開閉操作、可動側筐体部６の回転操作等に対応し、既述の制御プログラムの実行による画面切替え、機能呼出し、選択項目の確定等の各種の制御機能が備えられている。
【００５７】
そこで、この携帯端末装置２には、入力操作部１６、表示部１８、ＣＰＵ（Central Processing Unit ）９０、メモリ部９２、電源部９４、センサ部９６、無線部９８、音響部１００が備えられている。入力操作部１６は複数のキーを備え、電話番号入力やメール文書作成のための文字入力等に用いられる。表示部１８は、縦画面又は横画面が表示され、可動側筐体部６の開閉状態や回転角度により異なる画面態様に切り替えられ、縦画面又は横画面の各画面に対応した画面レイアウトに制御される。
【００５８】
ＣＰＵ９０は、メモリ部９２にある制御プログラム等を実行し、入力操作部１６の入力、センサ部９６の検出信号の取込み等、検出情報や制御情報の取込み、メモリ部９２の情報の読み書き、表示部１８の画面制御等、各種の制御を行う。この場合、縦画面又は横画面について、各画面に対応する画面レイアウトの制御や、各画面に最適な機能を立ち上げ、縦画面に対応する機能では、縦長の縦画面の上下方向の広がりを利用してメニューリストの表示、データ一覧表示、電話履歴等の表示に用いる。また、横画面に対応する機能では、横長の横画面の幅方向の広がりを利用してカメラ画像のパノラマ表示や、英文テキスト表示、その加工、テレビジョン放送受信画面の展開等に用いる。
【００５９】
メモリ部９２には、画面切替え、画面レイアウトの切替え、開閉又は回転（画面）に対応する機能の実行等の処理を含む制御プログラム、その他のプログラムや各種データが格納され、記録媒体として、この実施の形態では、ＳＤＲＡＭ（Synchronous Dynamic Random-Access Memory）１０２、実行用Ｆｌａｓｈメモリ１０４及び保存用Ｆｌａｓｈメモリ１０６で構成され、ＳＤＲＡＭ１０２、実行用Ｆｌａｓｈメモリ１０４及び保存用Ｆｌａｓｈメモリ１０６は、バス１０８を介してＣＰＵ９０に接続されている。
【００６０】
ＳＤＲＡＭ１０２は、作業エリアを構成し、保存用Ｆｌａｓｈメモリ１０６から読み出してローディングされたプログラムを実行し、演算処理や制御情報を生成させる。実行用Ｆｌａｓｈメモリ１０４には各種データが格納され、データベース等が構築される。保存用Ｆｌａｓｈメモリ１０６には、ＯＳ（Operating System）や制御プログラム等の各種プログラムが格納されている。
【００６１】
外部メモリＩＦ（インタフェース）１１０には、メモリカード等の外部メモリが接続され、この外部メモリには、電話番号やメールアドレス等のアドレスデータ、各種コンテンツ等が格納される。
【００６２】
電源部９４は、バッテリ、ＣＰＵ９０によって制御されるバッテリ充電回路、安定化回路、電源制御回路等を備えており、無線部９８等の各種機能部に給電する。
【００６３】
センサ部９６は、可動アーム部８による可動側筐体部６の開閉や、可動側筐体部６の回転角度θ（＝０度ないし左右各９０度）及び回転方向を検出する。そこで、このセンサ部９６には、開閉センサ１１２、回転センサ４２、４４が含まれている。開閉センサ１１２は、マグネットＭ１（図６）からの磁束の有無を検出し、その可動側筐体部６が開状態にあるか、閉状態にあるかを表す検出出力を発生する。回転センサ４２、４４は可動側筐体部６の可動側基板４０に設置されており、３つのマグネットＭ２、Ｍ３、Ｍ４（図６）の設置位置は、回転する可動側筐体部６の回転センサ４２、４４の軌道上の位置と一致している。
【００６４】
例えば、可動側筐体部６の中心位置ａ（図３）にある回転センサ４２にマグネットＭ２、回転センサ４４にマグネットＭ３が重なるので、回転センサ４２、４４から可動側筐体部６の中心位置ａにあることを表す出力が得られる。中心位置ａでは、回転センサ４２、４４から例えば、高レベル出力又は低レベル出力の同一出力が得られる。また、可動側筐体部６を右又は左に回転させると、回転センサ４２、４４にはマグネットＭ２、Ｍ３、Ｍ４から作用する磁力に変化が生じ、その変化に応じた出力が回転センサ４２、４４に生じる。この出力変化は、左右の回転角度θ＝２０度から生じるので、それが右側又は左側への回転方向を表す。そして、右側９０度の位置又は左側９０度の位置を表す出力が回転センサ４２、４４により得られる。例えば、回転センサ４２から高レベル出力、回転センサ４４から低レベル出力が得られる場合には右側９０度の位置、これとは逆の出力が得られる場合には左側９０度の位置を表す。
【００６５】
無線部９８は、音声通信又はメール等のデータ通信の送受信をアンテナ１１８を通じて行い、音声やデータの変調処理、無線信号から音声やデータの復調処理等を行う。
【００６６】
音響部１００は、着信音声をスピーカ１２０を通して出力し、又は、マイクロフォン１２２からの送話音声の取込み及び増幅等を行う。
【００６７】
次に、表示部１８の縦画面及び横画面について、図１４ないし図１９を参照して説明する。図１４は、メール作成モードのメール作成途上の縦画面を示す図、図１５は、デコメールピクチャの横画面を示す図、図１６は、デコメールピクチャが付された縦画面を示す図、図１７は、メール文書及び絵文字群が表示された横画面を示す図、図１８は、絵文字が付されたメール文書の縦画面を示す図、図１９は、デコメールピクチャ及び絵文字が付されたメール文書の縦画面を示す図である。図１４ないし図１９において、図１ないし図１３と同一部分には同一符号を付してある。
【００６８】
表示部１８の画面表示は、次のような表示態様となる。
【００６９】
１）可動側筐体部６の中心位置ａでの縦画面（図１４）
【００７０】
可動側筐体部６の開状態にある場合、表示部１８は縦画面状態となり、第１の画面として縦長の縦画面１２４が表示される。メニュー画面からメール作成モードを選択し、メール本文の作成画面には、状態表示欄１２６、モード等表示欄１２８、確定文書表示欄１３０、入力表示欄１３２、候補選択表示欄１３４、メニュー等選択欄１３６が表示されている。
【００７１】
状態表示欄１２６には、電池残量状態を表す電池マーク１３８、電波強度状態を表す電波強度マーク１４０、未読メールの有無を表すメールマーク１４２、時刻を表す時刻表示１４４が表示されている。
【００７２】
モード等表示欄１２８には、メール作成モードであることを表すモードマーク１４６、電話マーク１４７、使用中の文字を表すキャラクタマーク１４８が表示されている。確定文書表示欄１３０にはスクロールバー１３１が表示されており、作成中のメール文書の確定文書が表示される。この場合、「リアパネルには、深い光沢と、美しい透明感があふれるアクリルパネルを」とともに、末尾マーク１５０が表示されている。入力表示欄１３２にはスクロールバー１３３が表示されており、入力文字等の入力に用いられ、現在、入力文字がないため、空欄状態にある。
【００７３】
候補選択表示欄１３４には、候補選択欄であることを表すマーク１５２、現在のページを表すページ表示１５４、候補選択表示欄１３４を閉じるためのアイコン１５６、複数の選択候補１５８が表示されている。
【００７４】
メニュー等選択欄１３６には、中央に確定ボタン１６０が表示され、カーソルキー１６２によって選択されるメニューボタン１６４、前ページに移行させるための前ページボタン１６６、絵や記号を選択するための選択ボタン１６８、次ページを表示させるための次ページボタン１７０が表示されている。
【００７５】
２）中心位置ａから右回転位置ｂに回転させた場合の横画面（図１５）
【００７６】
可動側筐体部６を中心位置ａから右方向に回転することにより、第２の画面として横長の横画面１７２が表示される。この横画面１７２は、メイン表示欄１７４とサブ表示欄１７６とを備えており、メイン表示欄１７４には、表示された内容を表すタイトル欄１７８が設けられ、このタイトル欄１７８には、表示された内容が「デコメールピクチャ」であることが表示されている。このタイトル欄１７８に隣接してページ１８０が表示されている。タイトル表示欄１７８の下側にはデコメールピクチャのタイトルを表示するためのタイトルバー１８２が配置され、このタイトルバー１８２にはＧＩＦ（Graphics Interchange Format ）を表すＧＩＦマーク１８４等が表示されている。このタイトルバー１８２の下側には、選択される項目として、異なる複数のデコメールピクチャ１８６からなるデコメールピクチャ群１８８が表示され、このデコメールピクチャ群１８８の下側には、デコメールピクチャ１８６のサイズを表すためのサイズバー１９０が表示されている。この場合、１５７×７７、４．７ＫＢは、選択されているデコメールピクチャ１８６のサイズを表している。この場合、デコメールピクチャ１８６を包囲する枠１９２は、選択項目であるデコメールピクチャ１８６を表している。
【００７７】
また、サブ表示欄１７６には、電池マーク１３８、電波強度マーク１４０、メールマーク１４２、日時表示１９４、選択ボタン１９６を中心にその上側に表示を選択する表示ボタン１９８、表示の切替えを選択するための切替ボタン２００が表示され、選択ボタン１９６、表示ボタン１９８及び切替ボタン２００は、カーソルキー１６２によって選択されて操作される。
【００７８】
３）右回転位置ｂから中心位置ａに戻した場合の縦画面（図１６）
【００７９】
可動側筐体部６を回転させて横画面１７２から中心位置ａに戻すと、縦長の縦画面２０２が表示される。この縦画面２０２は、縦画面１２４（図１４）と異なり、確定文書表示欄１３０が拡大されている。前画面で選択されたデコメールピクチャ１８６は、可動側筐体部６を回転させ、即ち、表示部１８の回転により縦画面２０２上で確定する。デコメールピクチャ１８６は、確定文書表示欄１３０の文書の一部を構成している。この場合、確定文書表示欄１３０の下側には、デコメールピクチャ１８６が付されたメールであることを表すデコメールマーク２０４、確定文書表示欄１３０の許容量の残量表示２０６、文字や編集等の操作を表す複数の処理マーク２０８が表示されている。
【００８０】
また、この場合、メニュー等選択欄１３６のメニューボタン１６４の下側には、範囲選択のための範囲選択ボタン２１０、選択ボタン１６８の下側にはデコレーションを選択するためのデコレーションボタン２１２が表示されている。その他、縦画面１２４と共通部分には同一符号を付し、その説明を省略する。
【００８１】
４）中心位置ａから左回転位置ｃに回転させた場合の横画面（図１７）
【００８２】
可動側筐体部６を中心位置ａから左方向に回転することにより、横長の横画面２１４が表示される。この横画面２１４は、メイン表示欄２１６とサブ表示欄２１８が設定され、メイン表示欄２１６には、タイトル欄２２０及び絵文字選択表示欄２２２が設定され、タイトル欄２２０には「絵文字１」を表すタイトル２２４及びページ２２６が表示され、絵文字選択表示欄２２２には複数の絵文字２２８からなる絵文字群２３０が表示されている。
【００８３】
また、サブ表示欄２１８には、横画面１７２（図１５）と同様に、電池マーク１３８、電波強度マーク１４０、メールマーク１４２、日時表示１９４が表示され、横画面１７２（図１５）とは異なり、モードマーク１４６、電話マーク１４７、キャラクタマーク１４８が表示されるとともに、日時表示１９４の下欄に選択ボタン１９６を中心にして、その上側に「絵文字２」を表すタイトルボタン２３２、連続入力ボタン２３４、選択ボタン１９６の下側に前ページボタン１６６、次ページボタン１７０が表示されている。
【００８４】
５）左回転位置ｃから中心位置ａに戻した場合の縦画面（図１８）
【００８５】
可動側筐体部６を回転させて横画面２１４から中心位置ａに戻すと、縦画面２３６が表示される。この縦画面２３６には、縦画面２０２（図１６）と異なり、確定文書表示欄１３０にある文書に前画面で選択された絵文字２２８が表示されている。絵文字２２８は、可動側筐体部６を回転させ、即ち、表示部１８の回転により縦画面２３６上で確定する。絵文字２２８は、確定文書表示欄１３０の文書の一部を構成している。
【００８６】
また、この確定文書表示欄１３０の上側及び下側は、縦画面１２４（図１４）又は縦画面２０２（図１６）と同様の表示である。
【００８７】
６）デコメールピクチャ及び絵文字が付されたメール文書の縦画面（図１９）
【００８８】
縦画面２０２（図１６）はデコメールピクチャ挿入画面、縦画面２３６（図１８）は絵文字挿入画面を示しているが、この場合の縦画面２３８では、図１９に示すように、絵文字２２８及びデコメールピクチャ１８６の双方を挿入した文書を作成することができる。この場合、デコメールピクチャ１８６が挿入されているので、図１６に示す縦画面２０２と同様の画面形態となっている。そこで、図１６と同一部分には同一符号を付し、その説明を省略する。
【００８９】
次に、表示部１８の画面動作について、図２０を参照して説明する。図２０は表示部１８の制御プログラムの処理手順の一例を示す図である。
【００９０】
図１及び図２に示す閉状態から、可動側筐体部６を開くと、固定側筐体部４に対して可動側筐体部６は図３に示す開状態となる。この開状態にある表示部１８は縦画面状態となり（ステップＳ１１）、メニュー画面からメール作成モードを選択し、メール本文の作成画面では、例えば、縦画面１２４（図１４）が表示される。
【００９１】
可動側筐体部６の回転が監視され、回転センサ４２、４４から検出情報がＣＰＵ９０に取り込まれ、その検出情報から表示部１８が右回転か左回転かが判断される（ステップＳ１２）。図４に実線で示すように、可動側筐体部６が右回転の場合には、右回転に割り当てられた機能が呼び出され、この機能が起動される（ステップＳ１３）。この場合、表示部１８は横画面状態となり（ステップＳ１４）、例えば、横画面１７２（図１５）が表示される。横画面１７２はデコメールピクチャ挿入モードであるから、表示されたデコメールピクチャ１８６を選択する（ステップＳ１５、図１５）。このデコメールピクチャの選択の後、可動側筐体部６を中心位置ａに戻すと、表示部１８は縦画面状態に戻され（ステップＳ１６）、フォーカスされているデコメールピクチャ１８６が確定し（ステップＳ１７）、デコメールピクチャ１８６は確定文書中の一部となる（図１６）。
【００９２】
また、図４に破線で示すように、可動側筐体部６が左回転の場合には、左回転に割り当てられた機能が呼び出され、この機能が起動される（ステップＳ１８）。即ち、右回転とは異なる機能が起動される。この場合、表示部１８は横画面状態となり（ステップＳ１９）、例えば、横画面２１４（図１７）が表示される。横画面２１４は絵文字入力モードであるから、表示された絵文字２２８を選択する（ステップＳ２０、図１７）。この絵文字の選択の後、可動側筐体部６を中心位置ａに戻すと、表示部１８は縦画面状態に戻され（ステップＳ２１）、フォーカスされている絵文字が確定し（ステップＳ２２）、絵文字は確定文書中の一部となる（図１８）。
【００９３】
上記説明では、右回転と左回転とを選択的に行い、デコメールピクチャか絵文字かを選択的に付加する場合について説明したが、デコメールピクチャの挿入後、絵文字を入力してもよく、絵文字の入力後、デコメールピクチャを挿入する処理を行ってもよい。このような処理を行えば、図１９に示すように、絵文字２２８とデコメールピクチャ１８６とが付加された確定文書を作成することができる。
【００９４】
以上述べた第１の実施の形態について、特徴事項を抽出し、作用効果に言及する。
【００９５】
携帯端末装置２は、画面部分即ち、表示部１８が回転する構造を備えるとともに、折畳み機能を備えており、表示部１８を搭載した可動側筐体部６、通常の縦画面状態から左右方向に各々９０度ずつ回転する構造を備えている。
【００９６】
表示部１８を搭載した可動側筐体部６の回転や開閉は、センサ部９６によって検出され、また、表示部１８が右回転したか左回転したかを検出する機能を備えている。
【００９７】
そして、通常の縦画面状態から左右に９０度ずつ回転して横画面となる構造を備えていることから、縦画面１２４を開いた状態から、左右何れかに９０度回転させることにより、文字の表示を９０度回転させるだけでなく、回転や回転方向に割り当てられた機能として例えば、デコメールピクチャの選択や絵文字の選択等の処理を表示部１８の回転のみで実行させ、選択したデコメールピクチャや絵文字等を元の画面に戻すことにより確定させ、確定文書の一部にデコメールピクチャや絵文字等を挿入することができる。
【００９８】
即ち、可動側筐体部６を右回転すれば、横画面１７２（図１５）にデコメールピクチャ１８６の一覧が表示され、それを選択した後、中心位置ａに戻すことにより、選択されているデコメールピクチャ１８６が確定するとともに、デコメールピクチャ群１８８のウィンドウが閉じる。また、可動側筐体部６を左回転すれば、横画面２１４（図１７）に絵文字２２８の一覧が表示され、それを選択した後、中心位置ａに戻すことにより、選択されている絵文字２２８が確定するとともに、絵文字群２３０のウィンドウが閉じる。
【００９９】
このような表示部１８の回転操作によりデコメールピクチャ１８６や絵文字２２８の表示、その選択等の機能を起動させ、選択した項目を確定させることができるので、機能性や操作性を高めることができる。
【０１００】
〔第２の実施の形態〕
【０１０１】
本発明の第２の実施の形態について、図２１及び図２２を参照して説明する。図２１は、第２の実施の形態に係る制御方法及び制御プログラムの処理手順を示すフローチャート、図２２は、画面の切替えを示す図である。
【０１０２】
この実施の形態においても、図１ないし図４、図６ないし図１２に示す構成が用いられ、同様の制御方法（図５）が適用される。この実施の形態は、回転センサ４２、４４の回転検出情報を用いた機能の起動、デコメールピクチャとして画像や文字列の選択及び文書中への挿入の処理を含む処理手順を示している。
【０１０３】
メール作成モードを起動すると、図２２の（Ａ）に示すように、縦画面２４０が表示され、メール文の入力が行われる。この場合、可動側筐体部６の回転が監視され、右回転か左回転かが判定される（ステップＳ３１）。回転センサ４２、４４で右回転が検出され（ステップＳ３２）、その検出情報がＣＰＵ９０に取り込まれると、表示部１８の右回転が判定される。そこで、右回転に割り当てられた機能が起動し（ステップＳ３３）、表示部１８は横画面状態となり（ステップＳ３４）、図２２の（Ｂ）に示すように、横画面２４２が表示される。この横画面２４２にはタイトル欄１７８には「デコメールピクチャ」、タイトルバー１８２にはそのテーマである「遊ぼう」が表示されるとともに、デコメールピクチャ群１８８が表示される。デコメールピクチャ１８６は画像や文字列で構成されている。即ち、デコメールピクチャ群１８８の表示は右回転に割り付けられた機能であり、デコメールピクチャ１８６が選択可能な項目である。
【０１０４】
そこで、横画面２４２に表示されたデコメールピクチャ群１８８からカーソルキー操作によって画像や文字列を選択する（ステップＳ３５）。横画面２４２の枠１９２は選択対象を表している。
【０１０５】
この横画面２４２の状態から可動側筐体部６を左向きに回転させ、元の位置に戻すと、回転センサ４２、４４がその回転動作及び中心位置ａの０度を検出する（ステップＳ３６）。この検出情報はＣＰＵ９０に取り込まれ、選択した画像や文字列が確定して取り込まれ、文書内に挿入される（ステップＳ３７）。図２２の（Ｃ）に示すように、縦画面２４４の文書内にデコメールピクチャ１８６が挿入されている。
【０１０６】
また、回転センサ４２、４４が左回転を検出し（ステップＳ３８）、その検出情報がＣＰＵ９０に取り込まれると、表示部１８の左回転が判定される。そこで、左回転に割り当てられた機能が起動し（ステップＳ３９）、表示部１８は横画面状態となり、横画面が表示される（ステップＳ４０）。この横画面には画像や文字列が表示され、画像や文字列が選択可能な項目を構成する。
【０１０７】
そこで、この横画面からカーソルキー操作によって画像や文字列を選択し（ステップＳ４１）、可動側筐体部６を回転させて元の位置、即ち、中心位置ａに戻すと、回転センサ４２、４４がその回転動作及び中心位置ａの０度を検出する（ステップＳ３６）。この検出情報はＣＰＵ９０に取り込まれ、右回転の場合と同様に、選択した画像や文字列が確定して取り込まれ、縦画面の文書内に挿入される（ステップＳ３７）。
【０１０８】
〔第３の実施の形態〕
【０１０９】
本発明の第３の実施の形態について、図２３及び図２４を参照して説明する。図２３は、第３の実施の形態に係る制御方法及び制御プログラムの処理手順を示すフローチャート、図２４は、画面の切替えを示す図である。図２３において、図２１と同一部分には同一符号を付してある。
【０１１０】
この実施の形態においても、図１ないし図４、図６ないし図１２に示す構成が用いられ、同様の制御方法（図５）が適用される。この実施の形態は、回転センサ４２、４４の回転検出情報を用いた機能の起動やデコメールピクチャとして画像や文字列の挿入について、連続した処理手順を可能にしている。そこで、図２３に示すフローチャートが図２１に示すフローチャートと異なる点は、ステップＳ３７の処理の後、ステップＳ３１に帰還させ、連続処理を可能にしていることである。
【０１１１】
この実施の形態では、ステップＳ３１ないしステップＳ３７の処理手順が実行された結果、図２４の（Ａ）に示すように、縦画面２４４には文書中に挿入されたデコメールピクチャ１８６が表示されている。斯かる処理は、図２２の（Ａ）ないし（Ｃ）について説明した通りである。
【０１１２】
ステップＳ３７の処理終了後、再び、可動側筐体部６を右回転させると、回転センサ４２、４４で右回転が検出され（ステップＳ３２）、その検出情報がＣＰＵ９０に取り込まれると、表示部１８の右回転が判定される。そこで、右回転に割り当てられた機能が起動し（ステップＳ３３）、表示部１８は横画面状態となり（ステップＳ３４）、図２４の（Ｂ）に示すように、横画面２４６が表示される。この横画面２４６には横画面２４２｛図２２の（Ｂ）｝と同様の表示が行われる。
【０１１３】
そこで、横画面２４６に表示されたデコメールピクチャ群１８８からカーソルキー操作によって画像や文字列を選択する（ステップＳ３５）。この横画面２４６の状態から可動側筐体部６を左向きに回転させ、元の位置に戻すと、回転センサ４２、４４がその回転動作及び中心位置ａの０度を検出する（ステップＳ３６）。この検出情報はＣＰＵ９０に取り込まれ、選択した画像や文字列が確定して取り込まれ、文書内に挿入される（ステップＳ３７）。図２４の（Ｃ）に示すように、縦画面２４８の文書内に新たなデコメールピクチャ１８６が挿入され、この場合、２つのデコメールピクチャ１８６が挿入されている。
【０１１４】
そして、ステップＳ３１に戻り、右回転又は左回転に基づき、その検出情報により右回転又は左回転に割り当てられた機能を起動させ、デコメールピクチャ１８６等の挿入を行うことができる。
【０１１５】
〔第４の実施の形態〕
【０１１６】
本発明の第４の実施の形態について、図２５ないし図２７を参照して説明する。図２５は、第４の実施の形態に係る制御方法及び制御プログラムの処理手順を示すフローチャート、図２６及び図２７は、画面の切替えを示す図である。
【０１１７】
この実施の形態は、横画面でメール作成処理を開始し、作成された文書を縦画面で表示させた後、デコメールピクチャや絵文字等を挿入する場合であって、横方向への拡がりを持つ横画面でのメール文書作成の容易化を図ったものである。
【０１１８】
そこで、この実施の形態では、図２５に示すように、メール作成モードを起動した際に、縦画面状態か横画面状態かを回転センサ４２、４４からの検出情報を取り込むことにより判定し（ステップＳ５１）、横画面状態からメール文を入力する（ステップＳ５２）。図２６の（Ａ）に示すように、可動側筐体部６が例えば、右回転すると、表示部１８には横画面２５０が表示されるので、この横画面２５０にメール文を入力する。幅方向に拡がりを持つ横画面２５０により、横方向の拡がりを活用し、文書を作成することができる。
【０１１９】
このメール文作成において、可動側筐体部６を左方向に回転すれば、回転センサ４２、４４がその回転及び中心位置ａへの移行を検出し（ステップＳ５３）、この場合、可動側筐体部６は縦画面状態に移行する（ステップＳ５４）。縦画面状態への移行により、表示部１８には、図２６の（Ｂ）に示すように、縦画面２５２が表示され、この縦画面２５２には横画面２５０で作成された文書が縦画面２５２側の行中の字数に変換されて表示される。通常、メール文は縦画面で入力されることから、再びメール文の入力か否かが判定され（ステップＳ５５）、メール文入力であれば、メール文入力（ステップＳ５６）が可能であり、メール文入力でなければ、デコメールピクチャ１８６や絵文字２２８の挿入が行える。
【０１２０】
そこで、デコメール等の挿入モードＤＭでは、図２５に示すように、ステップＳ１２ないしステップＳ１７、ステップＳ１８ないしステップＳ２２の処理が実行され、これは、第１の実施の形態の処理（図２０）と同一の処理即ち、右回転と左回転に異なる機能が割り当てられ、選択された項目が縦画面状態に移行させることにより確定するので、同一符号を付してその説明を省略する。また、この挿入モードＤＭには、図２１に示す処理手順、図２３に示す処理手順を用いてもよい。
【０１２１】
この実施の形態においても、可動側筐体部６を例えば、右回転させると、横画面状態となり、表示部１８には、図２７の（Ａ）に示すように、横画面２５４が表示され、この横画面２５４からデコメールピクチャ１８６を選択し、可動側筐体部６を左回転させて横画面状態から縦画面状態に戻すと、選択されたデコメールピクチャ１８６が確定され、図２７の（Ｂ）に示すように、デコメールピクチャ１８６が挿入された文書が縦画面２５６に表示される。
【０１２２】
〔他の実施の形態〕
【０１２３】
(1) 上記実施の形態では、電子機器として携帯端末装置２を例示したが、本発明はパーソナルコンピュータ（ＰＣ）にも適用することができる。図２８及び図２９は、ＰＣを示す斜視図であって、図２８は、開状態で可動側筐体部６を縦長に維持させた場合を示す図、図２９は、開状態で可動側筐体部６を右方向に回転させて横長に維持させた場合を示す図である。図２８及び図２９において、図１ないし図２７と同一部分には同一符号を付してある。
【０１２４】
このＰＣ３００にも既述した機構（図１ないし図４、図６ないし図１２）、電気回路（図１３）、既述した制御方法（図５）、制御プログラム（図２０、図２１等）を実行させ、メール作成中に可動側筐体部６を右回転又は左回転させて縦画面から横画面に移行することにより、右回転に割り当てられた機能や、左回転に割り当てられた機能を呼び出し、起動させ、その機能中で選択した項目を、可動側筐体部６の回転により元の画面に戻すことにより確定させ、文書中にその項目を挿入する等の処理を実行させることができる。
【０１２５】
(2) 絵文字やデコメールピクチャ等の入力方法について、上記実施の形態では、可動側筐体部６の右回転や左回転によって横画面に表示し、可動側筐体部６を元に戻すことにより絵文字やデコメールピクチャを確定させているが、上記実施の形態の携帯端末装置２においても、次のような入力方法を選択することができる。その一つは、「絵・記号」を指定するソフトキーの押下により、絵文字一覧を呼び出し、それを選択した後、確定させる方法である。また、他の方法は、「メニュー」を指定するソフトキーによりサブメニューを呼び出し、メニュー画面から絵文字・記号・顔文字を経て、絵文字に到達し、その絵文字を選択する方法である。何れもメニューを辿り絵文字一覧を出す方法である。この場合には、呼び出される絵文字一覧の画面は異なるレイアウトを持ち、さらに、決定キーで絵文字を選択することができる。そして、前者の方法では、絵文字一覧から、決定キーを押下して絵文字を確定しても、絵文字一覧のウィンドウは閉じずに、絵文字の連続入力が可能である。また、後者の方法では、絵文字一覧から、決定キーを押下して絵文字を確定すると、絵文字一覧のウィンドウが閉じ、通常の文字入力の画面に戻る。これに対し、上記実施の形態では、可動側筐体部６の例えば、左回転により絵文字一覧が呼び出され、左回転位置から中心位置に戻したときに絵文字が確定し、絵文字一覧のウィンドウを閉じる構成であるから、絵文字やデコメールピクチャの表示、その選択、確定が迅速に行えるという利点がある。
【０１２６】
(3) 上記実施の形態では、電子機器として携帯端末装置２やＰＣ３００を例示したが、可動側筐体部を備え、メール作成機能等を備えるゲーム機器等にも本発明を適用することができる。
【０１２７】
次に、以上述べた本発明の実施の形態から抽出される技術的思想を請求項の記載形式に準じて付記として列挙する。本発明に係る技術的思想は上位概念から下位概念まで、様々なレベルやバリエーションにより把握できるものであり、以下の付記に本発明が限定されるものではない。
【０１２８】
（付記１）  回転可能な筐体部に表示機能を備える電子機器であって、
回転により第１の画面又は第２の画面を表示する表示部と、
前記表示部の回転によって前記第１の画面から前記第２の画面への切替えにより機能を立ち上げ、切り替えられた前記第２画面から選択された項目を、前記表示部の回転によって前記第２画面から前記第１画面へ戻すことにより確定させる制御部と、
を備えることを特徴とする電子機器。
【０１２９】
（付記２）  付記１の電子機器において、
前記制御部は、前記表示部の前記第１の画面及び／又は前記第２の画面に文字列を表示し、前記表示部の回転により、前記第２の画面に選択可能な絵文字又は装飾画を表示し、前記表示部を回転して前記第１の画面に戻すことにより、前記第２の画面から選択された前記絵文字及び／又は前記装飾画を確定させることを特徴とする電子機器。
【０１３０】
（付記３）  付記１又は付記２の電子機器において、
前記第１の画面が縦長の縦画面であれば、前記第２の画面が横長の横画面であり、前記第２の画面が前記縦画面であれば、前記第１の画面が前記横画面であることを特徴とする電子機器。
【０１３１】
（付記４）  付記１の電子機器において、
前記表示部は可動側筐体部に設置され、この可動側筐体部は、固定側筐体部にヒンジ部で開閉可能に取り付けられた可動アーム部に回転可能に支持されていることを特徴とする電子機器。
【０１３２】
（付記５）  付記１又は付記２の電子機器において、
前記回転は、右回転又は左回転又は双方であることを特徴とする電子機器。
【０１３３】
（付記６）  付記１の電子機器において、
前記表示部の回転の有無及びその回転方向を検出する回転センサを備えることを特徴とする電子機器。
【０１３４】
（付記７）  回転可能な筐体部に表示機能を備える電子機器の制御方法であって、
表示部に第１の画面又は第２の画面を表示するステップと、
前記表示部の回転によって前記第１の画面から前記第２の画面への切替えにより機能を立ち上げるステップと、
切り替えられた前記第２の画面から選択された項目を、前記表示部の回転によって前記第２の画面から前記第１の画面へ戻すことにより確定させるステップと、
を含むことを特徴とする電子機器の制御方法。
【０１３５】
（付記８）  付記７の電子機器の制御方法において、
前記表示部の前記第１の画面及び／又は前記第２の画面に文字列を表示し、前記表示部の回転により、前記第２の画面に選択可能な絵文字又は装飾画を表示し、前記表示部を回転して前記第１の画面に戻すことにより、前記第２の画面から選択された前記絵文字及び／又は前記装飾画を確定させるステップを含むことを特徴とする電子機器の制御方法。
【０１３６】
（付記９）  付記７又は付記８の電子機器の制御方法において、
前記第１の画面が縦長の縦画面であれば、前記第２の画面が横長の横画面であり、前記第２の画面が前記縦画面であれば、前記第１の画面が前記横画面であることを特徴とする電子機器の制御方法。
【０１３７】
（付記１０）  付記７又は付記８の電子機器の制御方法において、
前記回転は、右回転又は左回転又は双方であることを特徴とする電子機器の制御方法。
【０１３８】
（付記１１）  コンピュータによって実行される、回転可能な筐体部に表示機能を備える電子機器の制御プログラムであって、
表示部に第１の画面又は第２の画面を表示するステップと、
前記表示部の回転によって前記第１の画面から前記第２の画面への切替えにより機能を立ち上げるステップと、
切り替えられた前記第２の画面から選択された項目を、前記表示部の回転によって前記第２の画面から前記第１の画面へ戻すことにより確定させるステップと、
を含み、コンピュータに実行させることを特徴とする電子機器の制御プログラム。
【０１３９】
（付記１２）  付記１１の電子機器の制御プログラムにおいて、
前記表示部の前記第１の画面及び／又は前記第２の画面に文字列を表示し、前記表示部の回転により、前記第２の画面に選択可能な絵文字又は装飾画を表示し、前記表示部を回転して前記第１の画面に戻すことにより、前記第２の画面から選択された前記絵文字及び／又は前記装飾画を確定させるステップを含むことを特徴とする電子機器の制御プログラム。
【０１４０】
（付記１３）  付記１１又は付記１２の電子機器の制御プログラムにおいて、
前記第１の画面が縦長の縦画面であれば、前記第２の画面が横長の横画面であり、前記第２の画面が前記縦画面であれば、前記第１の画面が前記横画面であることを特徴とする電子機器の制御プログラム。
【０１４１】
（付記１４）  付記１１又は付記１２の電子機器の制御プログラムにおいて、
前記回転は、右回転又は左回転又は双方であることを特徴とする電子機器の制御プログラム。
【０１４２】
（付記１５）  回転可能な筐体部に表示機能を備える電子機器の制御プログラムをコンピュータ読込み可能に読込み可能に格納した記録媒体であって、
表示部に第１の画面又は第２の画面を表示するステップと、
前記表示部の回転により前記第１の画面から前記第２の画面への切替えにより機能を立ち上げるステップと、
切り替えられた前記第２の画面から選択された項目を、前記表示部の回転により前記第２の画面から前記第１の画面へ戻すことにより確定させるステップと、
を含む、コンピュータに実行させることを特徴とする、電子機器の制御プログラムをコンピュータ読込み可能に格納した記録媒体。
【０１４３】
（付記１６）  付記１５の記録媒体において、
前記表示部の前記第１の画面及び／又は前記第２の画面に文字列を表示し、前記表示部の回転により、前記第２の画面に選択可能な絵文字又は装飾画を表示し、前記表示部を回転して前記第１の画面に戻すことにより、前記第２の画面から選択された前記絵文字及び／又は前記装飾画を確定させるステップを含むことを特徴とする、電子機器の制御プログラムをコンピュータ読込み可能に格納した記録媒体。
【０１４４】
（付記１７）  付記１５又は付記１６の記録媒体において、
前記第１の画面が縦長の縦画面であれば、前記第２の画面が横長の横画面であり、前記第２の画面が前記縦画面であれば、前記第１の画面が前記横画面であることを特徴とする、電子機器の制御プログラムをコンピュータ読込み可能に格納した記録媒体。
【０１４５】
以上説明したように、本発明の最も好ましい実施の形態等について説明したが、本発明は、上記記載に限定されるものではなく、特許請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【０１４６】
本発明は、回転及び／又は開閉可能な筐体部側に表示機能を備える携帯端末装置等の電子機器に関し、筐体部の回転による縦画面から横画面、横画面から縦画面等、画面態様が変更される場合、右回転又は左回転に異なる機能を割り当てて起動させ、その機能において選択された項目を回転により元の画面に戻すことにより確定させることができるので、電子機器の機能性や操作性を向上させることができる等、有用である。
【図面の簡単な説明】
【０１４７】
【図１】第１の実施の形態に係る携帯端末装置を示す斜視図である。
【図２】携帯端末装置の閉状態を示す側面図である。
【図３】携帯端末装置の開状態を示す正面図である。
【図４】開状態にある携帯端末装置の可動側筐体部の右回転（左回転）を示す図である。
【図５】携帯端末装置の制御方法の一例を示すフローチャートである。
【図６】携帯端末装置を示す分解斜視図である。
【図７】携帯端末装置の回転ロック機構の位置を示す図である。
【図８】可動側リアケース部の上面側を示す図である。
【図９】可動アーム部の裏面側を示す図である。
【図１０】ストッパ機構及び中心停止位置を示す図である。
【図１１】ストッパ動作を示す図である。
【図１２】ストッパ動作を示す図である。
【図１３】携帯端末装置の回路構成例を示す図である。
【図１４】縦画面を示す図である。
【図１５】横画面を示す図である。
【図１６】縦画面を示す図である。
【図１７】横画面を示す図である。
【図１８】縦画面を示す図である。
【図１９】縦画面を示す図である。
【図２０】制御プログラムの処理手順を示すフローチャートである。
【図２１】第２の実施の形態に係る制御方法及び制御プログラムの処理手順を示すフローチャートである。
【図２２】画面の切替えを示す図である。
【図２３】第３の実施の形態に係る制御方法及び制御プログラムの処理手順を示すフローチャートである。
【図２４】画面の切替えを示す図である。
【図２５】第４の実施の形態に係る制御方法及び制御プログラムの処理手順を示すフローチャートである。
【図２６】画面の切替えを示す図である。
【図２７】画面の切替えを示す図である。
【図２８】他の実施の形態に係るＰＣ（縦画面表示）を示す図である。
【図２９】他の実施の形態に係るＰＣ（横画面表示）を示す図である。
【符号の説明】
【０１４８】
２  携帯端末装置
４  固定側筐体部
６  可動側筐体部
８  可動アーム部
１０  ヒンジ部
１２  回転モジュール
１８  表示部
４２、４４  回転センサ
９０  ＣＰＵ（制御部）
１２４、２０２、２３４  縦画面
１７２、２１４  横画面
【図１】
2008079095.tif 000003
【図２】
2008079095.tif 000004
【図３】
2008079095.tif 000005
【図４】
2008079095.tif 000006
【図５】
2008079095.tif 000007
【図６】
2008079095.tif 000008
【図７】
2008079095.tif 000009
【図８】
2008079095.tif 000010
【図９】
2008079095.tif 000011
【図１０】
2008079095.tif 000012
【図１１】
2008079095.tif 000013
【図１２】
2008079095.tif 000014
【図１３】
2008079095.tif 000015
【図１４】
2008079095.tif 000016
【図１５】
2008079095.tif 000017
【図１６】
2008079095.tif 000018
【図１７】
2008079095.tif 000019
【図１８】
2008079095.tif 000020
【図１９】
2008079095.tif 000021
【図２０】
2008079095.tif 000022
【図２１】
2008079095.tif 000023
【図２２】
2008079095.tif 000024
【図２３】
2008079095.tif 000025
【図２４】
2008079095.tif 000026
【図２５】
2008079095.tif 000027
【図２６】
2008079095.tif 000028
【図２７】
2008079095.tif 000029
【図２８】
2008079095.tif 000030
【図２９】
2008079095.tif 000031